(57)【要約】    【課題】ディスクドライブ・ハウジングを有意に再設計することなしに低費用の態様で従来のディスクドライブと一体化できる容量センサ用支持構造が必要とされている。    【解決手段】ディスクドライブは、ディスク１１０〜１３０の面外振動を検出する容量センサ２１０〜２３０を有する。これらのセンサは、ハウジング１００に取り付けられる支持構造３００に取り付けられる。各センサは、各ディスクに対応するとともに、ディスクの外側周縁部近傍において、かつ記録再生ヘッド１０９に近接して、ディスクの表面に対向して配置される。この支持構造３００は、金属または高強度プラスチックにより製作することができるとともに、ハウジング１００に取り付けられる別個の構造とされるか、または一体成形のハウジング１００の一部分として一体化することができる。【選択図】図１
2006107708.tif 000002
【特許請求の範囲】
【請求項１】
ハウジングと、
前記ハウジングに取り付けられるとともに、回転軸を有するスピンドルモータと、
前記スピンドルモータに取り付けられるとともに、前記スピンドルモータにより前記回転軸のまわりに回転可能な少なくとも１個のディスクと、
前記少なくとも１個のディスクの表面と対向する平面状表面を有する導電板を含む少なくとも１個の容量センサと、
前記ハウジングに取り付けられ、前記少なくとも１個のセンサが取り付けられる支持構造と、を有することを特徴とするデータ記録ディスクドライブ。
【請求項２】
前記ハウジングは、基部と側壁とを有し、前記スピンドルモータは前記基部に取り付けられ、前記支持構造は前記基部に搭載されることを特徴とする請求項１記載のディスクドライブ。
【請求項３】
前記ハウジングは、基部と側壁とを有し、前記スピンドルモータは前記基部に取り付けられ、前記支持構造は前記側壁に取り付けられることを特徴とする請求項１記載のディスクドライブ。
【請求項４】
前記ハウジングと支持構造は、単体の一体成形体で構成されることを特徴とする請求項１記載のディスクドライブ。
【請求項５】
前記支持構造は、電気絶縁材料により形成されることを特徴とする請求項１記載のディスクドライブ。
【請求項６】
前記支持構造は、導電材料により形成されるとともに、前記少なくとも１個のセンサとの間に配置される絶縁スペーサをさらに含むことを特徴とする請求項１記載のディスクドライブ。
【請求項７】
ハウジングと、
前記ハウジングに取り付けられるとともに、回転軸を有するスピンドルモータと、
前記スピンドルモータに取り付けられるとともに、前記スピンドルモータにより前記回転軸のまわりに回転可能な複数個の軸方向に離間するディスクと、
対応するディスクの表面に対向する平面状表面を有する導電板を含む複数個の容量センサと、
前記ハウジングに取り付けられ、前記各センサが取り付けられる支持構造と、を有することを特徴とするデータ記録ディスクドライブ。
【請求項８】
前記軸方向に離間するディスク間に延在する複数個の減衰板をさらに含み、前記減衰板は、前記ディスクのセクタのまわりにおいて周方向に、かつ前記ディスクの半径方向外側領域を半径方向に横切って延在し、各減衰板は、前記支持構造に取り付けられることを特徴とする請求項７記載のディスクドライブ。
【請求項９】
各センサは、対応する減衰板に取り付けられることを特徴とする請求項８記載のディスクドライブ。
【請求項１０】
前記支持構造は、前記軸方向に離間するディスクの外側周縁部分のまわりに配置されて空気流を閉じ込めるシュラウドを含み、各センサは前記シュラウドから延在して、対応するディスクの前記外側周縁部近傍において対応するディスクの表面に対向することを特徴とする請求項７記載のディスクドライブ。
【請求項１１】
複数個の記録ヘッドと、前記ヘッドを支持するとともに前記軸方向に離間するディスク間に延在する複数個のアームを有する回転式アクチュエータと、前記軸方向に離間するディスク間に延在して、前記回転するディスクによって引き起こされる空気流を逸らす複数個の通気遮断壁とをさらに有し、各通気遮断壁は前記支持構造に取り付けられることを特徴とする請求項７記載のディスクドライブ。
【請求項１２】
各センサは、対応する通気遮断壁に取り付けられることを特徴とする請求項１１記載のディスクドライブ。
【請求項１３】
複数個の記録ヘッドと、前記ヘッドを支持するとともに前記軸方向に離間するディスク間に延在する複数個のアームを有する回転式アクチュエータと、前記軸方向に離間するディスク間に延在して、ディスクドライブが動作していないときに前記ヘッドを前記ディスクから離反する位置に配置する複数個のランプとをさらに有し、各ランプは前記支持構造に取り付けられることを特徴とする請求項７記載のディスクドライブ。
【請求項１４】
前記支持構造とランプは、プラスチック材料の単体構造であり、前記単体構造はスペーサ部分を含み、各センサが１個のスペーサ部分に取り付けられることを特徴とする請求項１３記載のディスクドライブ。
【請求項１５】
複数個の概して平行なフィンガ部を有する支持構造と、
それぞれのフィンガ部に取り付けられるとともに、平面状表面を有する金属板を含む複数個の容量センサと、を有することを特徴とする容量センサ組立体。
【請求項１６】
前記支持構造は、電気絶縁材料により形成されることを特徴とする請求項１５記載の組立体。
【請求項１７】
前記支持構造は、導電材料により形成されるとともに、各センサとそのそれぞれのフィンガ部との間に配置される絶縁材料層をさらに含むことを特徴とする請求項１５記載の組立体。
【請求項１８】
各センサに電気的に接続される容量検出回路をさらに含むことを特徴とする請求項１５記載の組立体。
【請求項１９】
前記検出回路への入力用に前記センサの１個を選択するマルチプレクサをさらに含むことを特徴とする請求項１８記載の組立体。
【発明の詳細な説明】
【技術分野】
【０００１】
本発明は、一般に、磁気記録ハードディスクドライブ等のデータ記録ディスクドライブに係り、特に、ディスクの回転時において空気流により引き起こされる面外ディスク振動にさらされるようなディスクドライブに関する。
【背景技術】
【０００２】
データ記録ディスクドライブは、スピンドルモータにより回転可能な記録ディスク積層体と、回転するディスクの表面を横切って記録再生ヘッドを移動させるアクチュエータとを有する。各々の記録再生ヘッドは、サスペンションの一方の端部に取り付けられる空気軸受スライダ上において形成される。前記サスペンションは、自身の他方の端部において、アクチュエータの剛性アームに取り付けられるとともに、回転するディスクにより生ぜしめられる空気軸受上において前記スライダを横揺れおよび縦揺れさせる。ディスクドライブ・アクチュエータは、一般に、予め記録されたサーボ位置情報をディスクから受信するサーボフィードバック制御システムの制御下において、アクチュエータ・アームとこれに取り付けられるサスペンションとスライダとを一般に半径方向に移動させて前記ヘッドを所望のトラックに配置する回転式ボイスコイルモータ（ＶＣＭ）である。
【発明の開示】
【発明が解決しようとする課題】
【０００３】
将来のディスクドライブの傾向は、ディスク上における同心状のデータトラックの間隔を継続的に減少させてデータ記憶密度を増加させることと、ディスク積層体の回転速度を継続的に増加させてデータ転送時間を短くすることとである。記憶密度と回転速度とが増加すると、記録再生ヘッドを適正なデータトラックに配置するとともに、前記ヘッドを前記データトラック上において維持することはより困難になる。ディスク積層体の回転速度が増加すると、ディスクの周縁部近傍における空気流の乱れが増し、これが軸方向（面外）のバフェッティングまたはディスクの振動（時には誤ってディスク「フラッタ」と呼ばれる）を引き起こす。これらの振動は、記録再生ヘッドのトラック位置ずれ（ＴＭＲ）の原因となり、データトラックからのデータ再生およびデータトラックへのデータ記録における誤りを引き起こす。
【０００４】
同時に出願された「ディスク振動の容量検出機能と記録再生ヘッドのトラック位置ずれをなくすフィードフォワード制御とを有するディスクドライブ」（特許弁護士ドケットＮｏ．ＨＳＪ９２００４０１９９ＵＳ１）においては、面外ディスク振動により引き起こされるＴＭＲの問題に、ディスクの軸方向の変位を検出する容量センサを用いることにより対処している。データの再生および記録のためにアクセスされるディスク表面に対応する容量センサは、サーボフィードバック制御システムの補正を行なうフィードフォワード制御装置に信号を供給して、以ってディスクの面外振動により引き起こされるＴＭＲに対する効果を有意に低下させる。これらの容量センサは、軸方向に離間するディスク間においてディスク積層体の周縁部近傍に配置されるとともに、振動にさらされないように、ディスクドライブ・ハウジングに堅固に取り付けられる。
【０００５】
ディスクドライブ・ハウジングを有意に再設計することなしに低費用の態様で従来のディスクドライブと一体化できる容量センサ用支持構造が必要とされている。
【課題を解決するための手段】
【０００６】
本発明は、１個または複数個のディスクの面外振動を検出する１個以上の容量センサを有するディスクドライブである。これらのセンサは、ディスクドライブ・ハウジングに取り付けられる支持構造に取り付けられる。各センサは、１個のディスクに対応するとともに、該ディスクの外側周縁部近傍において、かつ記録再生ヘッドを支持するスライダの経路に近接して、該ディスクの表面の方を向く。
【０００７】
この支持構造は、ディスクドライブ・ハウジングの基部または壁部に取り付けられる別個の構造とされるか、または一体成形のハウジングの一部分として一体化することができる。前記支持構造は、金属または高強度プラスチックにより製作することができる。金属である場合は、ハウジングと一体化される場合のように、層状の絶縁材料がセンサを支持構造から分離させる。
【０００８】
ディスクドライブにおいて他の機能を果たす支持構造が、さらにまた容量センサ用支持構造として機能することも可能である。ディスクドライブが、ディスク間において該ディスクの外側周縁部近傍に延在して面外ディスク振動を減少させる減衰板を含む場合は、前記センサは、この減衰板により支持されるか、または各センサが対応する減衰板上において配置することができる。ディスクドライブが、ディスク積層体を取り巻いて回転するディスク積層体内に空気流を閉じ込めるシュラウドを含む場合は、容量センサは、このシュラウド支持構造により支持されるか、または前記シュラウドと一体化することができる。ディスクドライブが、ディスク間において、ヘッド−サスペンション−アーム組立体から離反する方向に空気流を逸らす通気遮断壁を含む場合は、容量センサは、この通気遮断壁支持構造により支持されるか、または各センサが、対応する通気遮断壁上において配置することができる。ディスクドライブが、ディスク間において延在するロード／アンロードランプを用いる「ロード／アンロード」方式のディスクドライブである場合は、前記センサは、ランプ支持構造により支持することができる。
本発明の性質および利点をより完全に理解するために、以下の詳細な説明を添付図面とともに参照されたい。
【発明の効果】
【０００９】
本発明によれば、ディスクドライブ・ハウジングを有意に再設計することなしに低費用の態様で従来のディスクドライブと一体化できる容量センサ用支持構造を得ることができる。
【発明を実施するための最良の形態】
【００１０】
図１は、本発明を取り入れた磁気記録ディスクドライブのブロック図である。このディスクドライブは、スピンドルモータ１０２とボイスコイルモータ（ＶＣＭ）アクチュエータ１０４とを支持するハウジング１００を含む。このハウジング１００は、一般に、基部１８０と側壁１８２等の側壁とを有する一体的な金属成形体である。最上部のディスク１１０が図示されている磁気記録ディスク積層体は、スピンドルモータ１０２に取り付けられるとともに、該モータにより回転可能である。記録再生ヘッド１０９は、ディスク１１０の上面に対応する。このヘッド１０９は、電磁誘導型記録再生ヘッドまたは電磁誘導型記録ヘッドと磁気抵抗型再生ヘッドとを組み合わせたものとすることができるとともに、スライダ１０８の終端部上に配置される。スライダ１０８は、回転するディスク１１０により生じしめられる空気軸受上において該スライダが「縦揺れ」および「横揺れ」することを可能にするサスペンション１０７によって、アクチュエータ・アーム１０６上において支持される。前記ヘッドとスライダとサスペンションとアクチュエータ・アームは、集合的にヘッド−アーム組立体と呼ばれ、アクチュエータ１０４に接続される積層状のヘッド・アーム組立体があって、各々のヘッド・アーム組立体は、対応するディスク面に対応している。
【００１１】
ディスク積層体は、軸１１１のまわりにおいて回転中心を有するとともに、方向１１５に回転する。各ディスク面には、半径方向に離間する同心状のデータトラックを備える磁気記録層が含まれる。データを正しく再生および記録するためには、ヘッドが実質的にデータトラックの中心線上において維持されなければならない。しかし、ディスクドライブの動作時に、ヘッドは、面外ディスク振動を含むさまざまな妨害作用によって引き起こされるトラック位置ずれ（ＴＭＲ）にさらされる。このため、各データトラックは、ヘッドにより検出可能であるとともに、サーボフィードバック制御システムにおいて用いられてヘッドを所望のデータトラックの中心線上において維持するヘッド位置決め情報を含む複数個の周方向または角度的に離間するサーボセクタを有する。各トラックのサーボセクタは、その他のトラックのサーボセクタと周方向に整合して、２個の一般的なサーボセクタ１１７、１１９により示されるように、トラックを横切って一般に半径方向に延在するようになっている。ヘッドにより読み取られるサーボ情報は、位置誤差信号（ＰＥＳ）として、ＶＣＭ駆動装置１５５に制御信号を供給するサーボフィードバック制御装置１５０に入力されて、ＶＣＭアクチュエータ１０４が移動せしめられて、ヘッドがトラックの中心線上に維持されるようになる。
【００１２】
本発明にしたがったディスクドライブは、複数個の容量センサと支持構造とを有して、ディスク振動により引き起こされるＴＭＲの問題に対処する。容量センサは、ディスク１１０の上面の方を向く容量センサ２１０により示されるように、各ディスク面に対応するとともに、該ディスク面の方を向いている。これらの容量センサは、支持構造３００により、ディスクドライブ・ハウジング１００に取り付けられる。各々のセンサは、金属またはその他の導電材料により形成される板であり、ディスク１１０の上面上のセンサ２１０およびスライダ１０８により示されるように、スライダの近傍であるがスライダの半径方向の経路の外側範囲より外側に配置される。各センサは、自身に対応するスライダに近接して配置され、すなわち回転軸１１１からヘッド１０９までの線と回転軸１１１からセンサ２１０の中心までの線との間において形成される角度は、最小限に保たれるべきである。容量センサ２１０は、容量信号を供給しうる程度に大きいが、ディスクの実質的に「局所的」な軸方向変位、すなわちスライダ１０８の近傍における変位のみを検出する程度に小さい表面積を有する。９５ｍｍの直径のディスクを有するディスクドライブの場合は、センサを形成する金属板は、約１ｃｍ２の表面積を有する。各センサと該センサに対応するディスク面との間の間隔は、約０．１ｍｍ〜０．４ｍｍの範囲内であり、これは、適切なセンサ感度が得られる程度に近接するが、ディスクドライブへの外的衝撃の間、センサとディスクとの間における接触が防がれる程度に離間するように選択される間隔である。容量センサを形成する前記板は、アルミニウム、ステンレス鋼またはその他の金属または金属合金、または炭素入りＰＥＥＫ（ポリエーテルエーテルケトン）のような導電性プラスチック、またはＡｌＴｉＣ（アルミニウム−炭化チタン）のような導電性セラミック、のような導電材料により製作することができる。
【００１３】
センサ２１０等の各容量センサの出力は、容量検出回路２５０により、フィードフォワード制御装置２６０に送られる電圧信号に変換される。フィードフォワード制御装置２６０は、フィードバック制御装置１５０の出力と組み合わされてディスクの面外振動によって引き起こされるＴＭＲに対する効果を低下させる補正信号を供給する。
【００１４】
次に、図２Ａを参照すると、容量センサは、ディスクドライブ・ハウジング１００に取り付けられる支持構造３００に取り付けられる。前記ハウジング１００は、基部１８０と４個の側壁とを含んでおり、これらの側壁の１個が側壁１８２として図示されている。一般に、ハウジング１００は、基部１８０と側壁とを含む一体的な金属成形体として形成される。スピンドルモータ１０２は、ハウジング１００の基部１８０に取り付けられるとともに、ディスク積層体を構成する、軸方向に離間するディスク１１０、１２０、１３０を支持する。容量センサ２１０、２２０、２３０は、それぞれのディスク１１０、１２０、１３０に対応する。これらのセンサは、支持構造３００に取り付けられる。この支持構造３００は、ハウジング１００の基部１８０に取り付けられて図示されているが、側壁１８２に取り付けられてもよい。前記支持構造３００は、高強度プラスチック射出成形体などの電気絶縁材料により、図２Ａに示されるように、各金属板が支持構造およびその他の金属板から電気的に絶縁されるように形成することができる。
【００１５】
支持構造３００は、さらにまた、金属材料により成形することができる。図２Ｂを参照すると、前記支持構造は、一体成形のハウジングに一体化されており、この場合は、ハウジングと同じ材料、一般にアルミニウムにより形成される。支持構造が金属材料により、ハウジングに取り付けられる別個の構造として形成される場合または成形ハウジングの一部分として形成される場合のいずれであっても、電気絶縁材料が各センサと支持構造との間において配置される。図２Ｂに示されるように、支持構造３００´は、ディスク１１０、１２０、１３０間において、ディスク積層体の周縁部近傍に延在するフィンガ部３１０、３２０、３３０を含むとともに、一体成形のハウジングの一部分として側壁１８２と一体化される。各センサ２１０、２２０、２３０は、それぞれフィンガ部３１０、３２０、３３０上のそれぞれの絶縁層３１１、３１２、３１３上において配置されるとともに、前記絶縁層に取り付けられる。これらの絶縁層は、フィンガ部に固着せしめられるポリイミド等のプラスチック材料により形成することができる。
【００１６】
ディスクの振動時には、センサ２１０とディスク１１０の上面との間等のセンサとディスク面との間における距離は、変化するとともに、静電容量の変化として検出される。静電容量は、センサとディスク面との間における隙間または距離に、Ｃ＝(εA)/gの関係で反比例し、ここで、εは、誘電率であり、Aは、センサ板の面積であり、ｇは、隙間である。図３は、容量検出回路２５０の例証的な略図である。センサ２１０を含む容量センサの出力は、マルチプレクサに入力される。再生または記録を行なうヘッドを選択したディスクドライブ制御装置（図示せず）は、前記マルチプレクサに信号を供給して、前記選択されたヘッドが再生または記録を行なうディスクに対応する容量センサが検出回路２５０への入力として選択されるようにする。検出回路は１０MHzで動作し、選択されたセンサからの信号は、容量ブリッジに入力される。対象範囲外の信号は、高域通過フィルタ（ＨＰＦ）と低域通過フィルタ（ＬＰＦ）とによって除去され、信号は増幅されて、電圧として出力される。回路２５０から出力される電圧信号は、選択されたセンサと該センサに対応するディスク面との間における隙間または距離を表すとともに、フィードフォワード制御装置２６０に送られる（図１）。
【００１７】
前記のディスクドライブは、積層状の多数のディスクと支持構造上の複数個の容量センサとを有しており、１個のセンサが各ディスクに対応するものとして示された。しかしながら、本発明は、支持構造上の単一の容量センサを備える単一ディスクのディスクドライブにも適用できる。ディスクドライブは、さらにまた、ディスク毎に１個を超える容量センサを有し得、たとえば各ディスクに対して２個のセンサが、各センサが２個のディスク面のそれぞれ一方の面の方を向く状態で設けられてもよい。
【００１８】
前記の支持構造３００は、容量センサをディスク積層体に対して所望の位置において支持することのみを目的とする別個の構造として示されている。しかしながら、製造費用を削減するために、容量センサは、ディスクドライブ内においてまた他の機能を果たす支持構造によって支持されてもよい。たとえば、ディスクドライブが、ディスク間において該ディスクの外側周縁部近傍に延在して面外ディスク振動を減少させる減衰板を含む場合は、センサは、減衰板支持構造によって支持されるか、または各センサが対応する減衰板上に配置することができる。ディスクドライブが、ディスク積層体を取り巻いて、回転ディスク積層体の内側に空気流を閉じ込めるシュラウドを含む場合は、容量センサは、シュラウド支持構造により支持されるか、または前記シュラウドと一体化することができる。ディスクドライブが、ディスク間において、空気流をヘッド−サスペンション−アーム組立体から離反する方向に空気流を逸らす通気遮断壁を含む場合は、容量センサは、各センサが対応する通気遮断壁上に配置されて、通気遮断壁支持構造により支持される。ディスクドライブが、ディスク間において延在するロード／アンロードランプを用いる「ロード／アンロード」形のディスクドライブであって、ディスクドライブへの電源が除去されると、各ヘッド−サスペンション組立体がランプ上へと移動せしめられるようになっている場合は、容量センサは、ランプ支持構造によって支持することができる。
【００１９】
図４Ａおよび図４Ｂは、それぞれ、回転するディスクが通過する領域の半径方向外側環状部分の上に延在する減衰板を有するディスクドライブの平面図および部分側断面図である。減衰板は、ハウジング１００の製造の一環としてハウジング壁部１８２と一体的に形成される支持構造４００上において支持される。しかしながら、減衰板は、別個の組立体として形成されるとともに、ハウジング１００の製造後に基部１８０または壁部１８２に取り付けられてもよい。前記支持構造は、ディスク１１０、１２０、１３０の面外振動を減衰させる減衰板４１０、４２０、４３０、４４０を支持する。減衰板の周方向端部近傍において、スライダ近傍の領域において、図４Ａに断面線4B−4Bにより示されるように、容量センサは、減衰板の凹部に取り付けられる。容量センサ２１０、２２０、２３０は、それぞれの減衰板４１０、４２０、４３０上にそれぞれ配置される絶縁材料層４１１、４２１、４３１に固定される。これに代わる方法として、前記センサは、減衰板上に取り付けられる代わりに、支持構造４００に別々に取り付けられるとともに、前記支持構造から外方に延在しうる。
【００２０】
図５Ａおよび図５Ｂは、それぞれ、ディスク積層体の外側周縁部近傍に配置されて、前記積層状ディスクの内側に空気流を閉じ込めるシュラウドを備えるディスクドライブの平面図および部分側断面図である。このシュラウドは、アクチュエータ・アームの移動を可能にするために、スリット（図５Ｂには図示せず）を有する。前記シュラウドは、支持構造５００により支持されるとともに、円筒壁５０２を有する。前記支持構造５００は、プラスチック材料により形成されるとともに、容量センサ２１０、２２０、２３０間において絶縁スペーサ部５１０、５２０、５３０を有してハウジング基部１８０に取り付けられうる。これに代わる方法として、前記支持構造５００は、半径方向内方に向けられるフィンガ部を有するシュラウドを含むとともに、一体成形の金属ハウジングの一部分として組み込まれ得、この場合は、各容量センサは、対応するフィンガ部上において、各センサと該センサを支持する金属フィンガ部との間において絶縁層を有して配置される。
【００２１】
図６Ａおよび図６Ｂは、それぞれ、ディスク間に配置されてヘッド−サスペンション組立体近傍において空気流を遮断する通気遮断壁を備えるディスクドライブの平面図および部分側断面図である。通気遮断壁を有するディスクドライブは、米国特許出願公開第２００２／００３６８６２号明細書において公開されている。プラスチック製支持構造６００は、ハウジング基部１８０に取り付けられるとともに、半径方向内方に延在する通気遮断壁６１０、６２０、６３０、６４０を支持する。容量センサ２１０、２２０、２３０は、それぞれ通気遮断壁６１０、６２０、６３０上において取り付けられる。これに代わる方法として、支持構造６００及び通気遮断壁は、一体成形の金属ハウジングの一部分として組み込まれ得、この場合は、各容量センサは、対応する通気遮断壁上において、各センサと該センサを支持する金属通気遮断壁との間において絶縁層を有して配置される。
【００２２】
図７Ａは、ディスク間において配置されて、ディスクドライブが動作していないときにヘッド−サスペンション組立体を支持するロード／アンロードランプをディスク間に備えるディスクドライブの平面図である。図７Ｂは、ランプ支持構造７００の斜視図である。このランプ支持構造７００は、プラスチックにより形成されるとともに、ハウジング基部１８０に取り付けられて、ランプ７１０、７２０、７３０を支持する。前記支持構造７００は、それぞれ容量センサ２１０、２２０、２３０を支持するとともに、前記センサを互いに電気的に絶縁するプラスチック製スペーサ部７１１、７２１、７３１を有する。
【００２３】
好適な実施例を参照して本発明を特に図示および説明したが、当業者には、形態および詳細におけるさまざまな変更が、本発明の精神および範囲から逸脱することなしに行われうることが理解されよう。したがって、開示の発明は、単に例証と見なされるべきであり、本発明は、添付の特許請求の範囲の記載によってのみ範囲を制限されるものである。
【図面の簡単な説明】
【００２４】
【図１】本発明を取り入れた磁気記録ディスクドライブのブロック図である。
【図２Ａ】ディスク積層体を有するスピンドルモータと、ディスクドライブ・ハウジングに取り付けられる容量センサ用の支持構造とを示す側面図である。
【図２Ｂ】一体成形のハウジングに一体化される容量センサ用支持構造を示す側面図である。
【図３】容量センサに結合される容量検出回路の略図である。
【図４Ａ】それぞれ減衰板と複数個の容量センサとを有するディスクドライブの平面図である。
【図４Ｂ】それぞれ減衰板と複数個の容量センサとを有するディスクドライブの部分側断面図である。
【図５Ａ】それぞれディスク積層体の外側周縁部近傍に配置されるシュラウドと複数個の容量センサとを有するディスクドライブの平面図である。
【図５Ｂ】それぞれディスク積層体の外側周縁部近傍に配置されるシュラウドと複数個の容量センサとを有するディスクドライブの部分側断面図である。
【図６Ａ】それぞれディスク間において配置される通気遮断壁と複数個の容量センサとを有するディスクドライブの平面図である。
【図６Ｂ】それぞれディスク間において配置される通気遮断壁と複数個の容量センサとを有するディスクドライブの部分側断面図である。
【図７Ａ】ディスク間において配置されるロード／アンロードランプと複数個の容量センサとを有するディスクドライブの平面図である。
【図７Ｂ】図７Ａに示されるディスクドライブのランプ支持構造の斜視図である。
【符号の説明】
【００２５】
１００…ハウジング、
１０２…スピンドルモータ、
１０４…アクチュエータ、
１０６…アクチュエータ・アーム、
１０７…サスペンション、
１０８…スライダ、
１０９…記録再生ヘッド、
１１０，１２０，１３０…ディスク、
１１１…回転軸、
１１７，１１９…サーボセクタ、
１８０…基部、
１８２…側壁、
２１０，２２０，２３０…容量センサ、
３００，３００′，４００，５００…支持構造、
３１０，３２０，３３０…フィンガ部、
３１１，３１２，３１３…絶縁層、
４１０，４２０，４３０，４４０…減衰板、
４１１，４２１，４３１…絶縁材料層、
５０２…シュラウド、
５１０，５２０，５３０…絶縁スペーサ、
６００…プラスチック支持構造、
６１０，６２０，６３０，６４０…通気遮断壁、
７００…ランプ支持構造、
７１０，７２０，７３０…ランプ、
７１１，７２１，７３１…絶縁スペーサ。
【図１】
2006107708.tif 000003
【図２Ａ】
2006107708.tif 000004
【図２Ｂ】
2006107708.tif 000005
【図３】
2006107708.tif 000006
【図４Ａ】
2006107708.tif 000007
【図４Ｂ】
2006107708.tif 000008
【図５Ａ】
2006107708.tif 000009
【図５Ｂ】
2006107708.tif 000010
【図６Ａ】
2006107708.tif 000011
【図６Ｂ】
2006107708.tif 000012
【図７Ａ】
2006107708.tif 000013
【図７Ｂ】
2006107708.tif 000014